(57)【要約】【課題】より迅速で且つ信頼性の高い監視を行うことができる遊技機監視システムを提供する。【解決手段】毎朝ホールでは、その日出勤する店員をチェックし、ステーションの記憶手段に記憶されている店員情報のうち該当する店員の店員情報のみを管理手段によって選択し、送受信手段を介して各Ｒ／Ｗユニットへと送信する。Ｒ／Ｗユニットは、送信されてきた店員情報をＲＡＭに記憶する。尚、その際、前日に記憶した店員情報に上書きするものとする。そして、店員は、たとえば遊技領域内での球詰まり等により前面枠を開放する必要が生じた場合等に、カードホルダに店員カードを差し込むことで、不正行為として検知されることなく前面枠を開放することができる。その際、カードホルダに収納されたカードアンテナと、店員カードに収納されたカードタグとの間で認証用のＲＦＩＤ通信が行われる。【選択図】図１１
2005245870.tif 000002
【特許請求の範囲】
【請求項１】
少なくとも一方の移動によって相対距離が変化する第一の部材と第二の部材とからなる可動部を少なくとも一組有する遊技機に用いられる遊技機監視システムであって、
前記遊技機監視システムは、
前記第一の部材あるいは前記第二の部材のどちらか一方の部材に設けられ、呼出波を受信すると記憶している固有の識別情報を含む反射波を出力する監視タグと、
他方の部材に設けられ、前記監視タグに対して呼出波を送信し、前記監視タグからの反射波を受信する監視アンテナと、
遊技機を取り扱う権限に関する店員情報を記憶した認証タグと、該認証タグを保持可能なホルダに設けられ、認証タグとの間で認証用の非接触通信可能な認証アンテナとからなる認証手段と、
前記監視タグと前記監視アンテナとの間における監視用の非接触通信及び前記認証手段において行われる認証用の非接触通信を制御する制御手段と、前記監視タグに記憶されている固有の識別情報、及び前記制御手段における制御履歴からなる履歴情報とを記憶する第一の記憶手段と、外部と通信する入出力手段とを備えており、前記監視アンテナ及び前記認証アンテナに接続された監視制御装置と、
前記認証タグに記憶されている店員情報を記憶した第二の記憶手段と、第二の記憶手段に記憶されている店員情報を読み出して選択可能な管理手段と、前記監視制御装置との間で履歴情報及び店員情報を送受信可能な送受信手段とを備えており、前記監視制御装置に接続された外部のコンピュータと、
を有しており、
前記監視制御装置は、前記外部のコンピュータから送信されてきた店員情報を、前記第一の記憶手段に記憶し、その記憶された店員情報に基づいて認証用の非接触通信を制御することを特徴とする遊技機監視システム。
【請求項２】
前記外部のコンピュータは、前記第二の記憶手段に記憶されている店員情報のうち、任意の店員情報のみを選択可能であり、選択された店員情報を前記制御監視装置へと送信することを特徴とする請求項１に記載の遊技機監視システム。
【発明の詳細な説明】
【技術分野】
【０００１】
本発明は、パチンコ機、スロットマシーン等の遊技機を監視するための遊技機監視システムに関するものである。
【背景技術】
【０００２】
従来より、たとえば遊技機の一例であるパチンコ機に対して、特定の遊技者が不正に利益を得ようとして遊技枠等を不正に開放し、遊技内容を制御する各種制御基板やＲＯＭ等を交換するといった不正行為が絶えない。そこで、そのような不正行為を防止するために、遊技機にマイクロスイッチを設置し、遊技枠等が開放された場合にこれを検知して、遊技場を監視するホールコンピュータ（以下、ステーションと称す）に知らせるものが考案されている。
【０００３】
しかしながら、たとえば修理作業等のために遊技場の店員が遊技枠等を開放するケースも当然起こり得る。したがって、検知された遊技枠等の開放が店員によるものか、それとも店員以外（たとえば、不正行為）によるものかを区別するために、特許文献１に開示されているような遊技機監視システムが考案されている
【０００４】
【特許文献１】特開２００２−５８８４７号公報
【０００５】
特許文献１に記載の遊技機監視システムは、次に示すような方法で遊技枠や前面枠の開放が店員によるものか否かの区別を行っている。
開放可能な遊技枠と前面枠とを備えたパチンコ機の隣に、遊技場全体を監視するステーションに接続された制御部を備えた処理装置を設置する。また、パチンコ機の遊技枠及び前面枠にそれぞれの開放を検知可能なマイクロスイッチを設置し、各マイクロスイッチによる検知信号を、処理装置内の制御部に伝えるようにする。さらに、処理装置には、後述する店員カードを挿入可能であって、挿入された店員カードとの間で非接触通信を行うことにより、店員カードに記憶された店員情報を読み出して制御部に伝達可能な店員カード挿入口が設けられている。
一方、各店員は、それぞれ異なる店員情報を記憶した店員カードを所持している。尚、ステーションには、全ての店員情報が予め登録されている。
【０００６】
そして、店員が何らかの理由（たとえば点検や修理）で遊技枠や前面枠を開放したい場合には、店員カードを処理装置の店員カード挿入口に挿入すればよい。店員カードが店員カード挿入口に挿入されると、非接触通信により店員カードから店員情報を読み出して、ステーションに予め登録されている店員情報と比較する。比較の結果両者が一致した場合には、その後遊技枠や前面枠の開放を検知したとしても、店員によるものであると判断される（不正行為が行われているとは判断されない）。
しかしながら、比較の結果両者が一致しないにもかかわらず遊技枠や前面枠の開放を検知した場合や、比較を行っていない（店員カードが挿入されていない）にもかかわらず遊技枠や前面枠の開放を検知した場合には、店員によるものではない（不正行為が行われている）としてステーションに報知するようになっている。
【発明の開示】
【発明が解決しようとする課題】
【０００７】
しかしながら、特許文献１に記載の遊技機監視システムは、店員カードが挿入された際、店員カードから読み出した店員情報をもとに一々ステーションに問い合わさなければならず、店員カードの認証作業に非常に時間及び手間のかかる構成となっていた。
また、処理装置自体が大きなものであり、従来より島設備に設置されている遊技機の隣に設置することは困難であるとともに、設置作業等の作業性に課題を有する遊技機監視システムであった。
【０００８】
さらに、特許文献１に記載の遊技機監視システムは、ステーションに全ての店員情報が記憶されており、そのステーションへと問い合わせるため、欠勤しているはずの店員の店員カードが悪用されるおそれがあった。つまり、欠勤している店員の店員カードを利用して遊技枠等を開放した事態等をリアルタイムで検知・報知することはできなかった。
加えて、ステーションにおける店員情報の管理をしっかりと行わなければ、現在使用されていない店員情報を有する店員カードが利用されていたり、盗まれた店員カードの利用を許容していたりする事態も考えられ、信頼性に疑問の残る監視動作しか提供できないものであった。
【０００９】
そこで本発明は、上述したような課題を解決すべく、より迅速で且つ信頼性の高い監視を行うことができる遊技機監視システムを提供しようとするものである。
【課題を解決するための手段】
【００１０】
かかる本発明の内、請求項１に記載の発明は、少なくとも一方の移動によって相対距離が変化する第一の部材と第二の部材とからなる可動部を少なくとも一組有する遊技機に用いられる遊技機監視システムであって、前記遊技機監視システムは、前記第一の部材あるいは前記第二の部材のどちらか一方の部材に設けられ、呼出波を受信すると記憶している固有の識別情報を含む反射波を出力する監視タグと、他方の部材に設けられ、前記監視タグに対して呼出波を送信し、前記監視タグからの反射波を受信する監視アンテナと、遊技機を取り扱う権限に関する店員情報を記憶した認証タグと、該認証タグを保持可能なホルダに設けられ、認証タグとの間で認証用の非接触通信可能な認証アンテナとからなる認証手段と、前記監視タグと前記監視アンテナとの間における監視用の非接触通信及び前記認証手段において行われる認証用の非接触通信を制御する制御手段と、前記監視タグに記憶されている固有の識別情報、及び前記制御手段における制御履歴からなる履歴情報とを記憶する第一の記憶手段と、外部と通信する入出力手段とを備えており、前記監視アンテナ及び前記認証アンテナに接続された監視制御装置と、前記認証タグに記憶されている店員情報を記憶した第二の記憶手段と、第二の記憶手段に記憶されている店員情報を読み出して選択可能な管理手段と、前記監視制御装置との間で履歴情報及び店員情報を送受信可能な送受信手段とを備えており、前記監視制御装置に接続された外部のコンピュータと、を有しており、前記監視制御装置は、前記外部のコンピュータから送信されてきた店員情報を、前記第一の記憶手段に記憶し、その記憶された店員情報に基づいて認証用の非接触通信を制御することを特徴とするものである。
請求項２に記載の発明は、請求項１に記載の発明に加えて、より信頼性の高い監視を可能とするために、前記外部のコンピュータは、前記第二の記憶手段に記憶されている店員情報のうち、任意の店員情報のみを選択可能であり、選択された店員情報を前記制御監視装置へと送信することを特徴とするものである。
【発明の効果】
【００１１】
本発明に係る遊技機監視システムによれば、監視制御装置と外部のコンピュータとを接続しているため、外部のコンピュータから店員情報等を受信可能となっている。そして、監視制御装置は、受信した店員情報を記憶手段に記憶するため、認証用のＲＦＩＤ通信を行う毎にわざわざ外部のコンピュータとの間で店員情報のやりとり等を行わなくてすむ。したがって、より迅速且つスムーズに遊技機の監視を行うことができる。
また、外部のコンピュータから、その日出勤する店員の店員情報のみを監視制御装置へと送信するようにしているため、欠勤しているはずの店員の店員カードが不正に利用されたり、退社したはずの店員の店員カードが不正に利用されたりすることがなく、より信頼性の高い監視を行うことができる。その上、外部のコンピュータから監視制御装置へと送信される店員情報は、その日出勤する店員のもののみであるため、送信時間等の短縮を可能としており、利便性のより高いものとすることができる。
加えて、本実施例に係る遊技機監視システムは、従来よりホールに備えられている外部のコンピュータを利用するとともに、従来よりホールに設置されている遊技機に監視タグ、監視アンテナ、及び認証手段を取り付けるだけで構成可能である。すなわち、本実施例に係る遊技機監視システムは、その汎用性が非常に高い。
【発明を実施するための最良の形態】
【００１２】
以下、本発明に係る遊技機監視システムの一実施形態について、図面に基づき、次の目次の順序にしたがって、詳細に説明する。
（１）実施例の遊技機監視システムの概要
（２）実施例の遊技機監視システムの構造
（３）実施例の遊技機監視システムの動作内容
（４）実施例の遊技機監視システムの効果
（５）本発明の変更例の説明
【００１３】
（１）実施例の遊技機監視システムの概要
本実施例に係る遊技機監視システムの監視対象であるパチンコ機は、パチンコ機本体を支持する機枠に、ミドル枠が着脱自在に取り付けられたものである。ミドル枠の前面側には、ガラス板等が設置される前面枠、供給皿、及び貯留皿等が着脱自在に取り付けられている。また、該パチンコ機は島設備に設置されており、各島設備の端には報知ランプを備えた報知手段が夫々設置されている。
一方、ミドル枠の後面側には、パチンコ機における監視用のＲＦＩＤ通信や認証用のＲＦＩＤ通信を制御するとともに監視履歴情報等を記憶する監視制御装置であるリーダ／ライタユニット（以下、Ｒ／Ｗユニットと称す）が取り付けられているとともに、主制御基板を収納した主制御基板収納ケース、及び遊技球払出装置等が設置されている。
以下、ミドル枠、及びミドル枠に取り付けられている前面枠や遊技球払出装置等を合わせて遊技枠と称す。
【００１４】
一方、本実施例に係る遊技機監視システムは、Ｒ／Ｗユニット、該Ｒ／Ｗユニットと接続された監視アンテナ、該監視アンテナとの間で監視用のＲＦＩＤ（Radio Frequency identification）通信（非接触通信）可能で、固有の識別情報を記憶した監視タグ、パチンコ機を取り扱う（たとえば、前面枠を開放する等）権限の認証を行う認証手段、及びＲ／Ｗユニットに接続されたホールコンピュータ（以下、ステーションと称す）等を備えている。
【００１５】
Ｒ／Ｗユニットは、監視用のＲＦＩＤ通信や認証手段で行われる認証用のＲＦＩＤ通信（非接触通信）を制御する制御手段、監視タグに記憶されている固有の識別情報や監視に係る情報である監視履歴情報を記憶するＥＥＰＲＯＭ（第一の記憶手段）、一時的な記憶を行うＲＡＭ（第一の記憶手段）、各アンテナと接続されるＲＦ回路、時刻を計時するためのタイマ、充電可能なバッテリ（内蔵電源）、及びステーション等と接続されるＩ／Ｏインタフェイス（入出力手段）等を有している。
また、Ｒ／Ｗユニットは、監視アンテナから常時（２４時間）呼出波を送信して監視タグとの間で監視用のＲＦＩＤ通信を行うことで、パチンコ機をリアルタイムで監視している。
【００１６】
本実施例では、パチンコ機の前面枠に監視タグである前面枠タグを、パチンコ機の遊技枠に監視アンテナである前面枠アンテナをそれぞれ固着して、パチンコ機における前面枠の開閉状態を監視している。
また、前面枠タグと前面枠アンテナとは、両者が所定の通信距離（たとえば、５ｍｍ）内となった場合にのみＲＦＩＤ通信可能となるように設定されている。したがって、前面枠を閉じた場合にのみ前面枠タグと前面枠アンテナとの間での監視用のＲＦＩＤ通信を可能とし、逆にわずかにでも前面枠が開放された場合には監視用のＲＦＩＤ通信は成立しない。
【００１７】
一方、認証手段は、各店員毎に付与される固有の店員ＩＤ等からなる店員情報（識別情報）を記憶した認証タグであるカードタグが収納された店員カードと、該店員カードを差し込むカード差込口を備え、差し込まれた店員カードを起立状態で保持可能なカードホルダと、店員カードに収納されたカードタグとの間で認証用のＲＦＩＤ通信可能で、カードホルダに固着された認証アンテナであるカードアンテナとを備えている。
また、カードタグとカードアンテナとは、両者が所定の通信距離（たとえば、５ｍｍ）内となった場合にのみＲＦＩＤ通信可能となるように設定されている。そして、カードホルダに店員カードが差し込まれると、カードタグとカードアンテナとが自然と通信距離内に位置するように、カードタグは店員カードに、カードアンテナはカードホルダにそれぞれ収納されている。
尚、店員カードは、各店員が所持するカードであって、遊技領域内での球詰まり等により前面枠を開放しなければならない際に、前面枠を開放する権限（遊技機を取り扱う権限）を認証するためのものである。
【００１８】
ステーションは、パチンコ機が設置されるホールに備えられるホールコンピュータ（外部のコンピュータ）であって、各パチンコ機に設置されたＲ／Ｗユニットと接続されている。ステーションは、各店員カードに記憶されている店員情報を全て記憶しているとともに、各Ｒ／ＷユニットのＥＥＰＲＯＭに記憶される監視履歴情報等を記憶する記憶手段（第二の記憶手段）、該記憶手段に記憶されている情報を読み出したり、選択したり、書き換えたりする等の管理を行う管理手段、及び各Ｒ／Ｗユニットへと読み出した店員情報等を送信したり、各Ｒ／Ｗユニットから送信されてくる監視履歴情報等を受信したりするための送受信手段等を備えている。
上述したようなステーションを備えたホールでは、毎朝開店前に、記憶手段に記憶されている店員情報のうち、その日出勤する店員が所持する店員カードに記憶された店員情報のみを選択して各Ｒ／Ｗユニットへと送信する。尚、Ｒ／Ｗユニットでは、送信されてきた店員情報をＲＡＭに記憶する。
【００１９】
一方、Ｒ／Ｗユニットで制御される監視用のＲＦＩＤ通信とは、前面枠アンテナから呼出波を送信し、その呼出波に対する前面枠タグからの反射波を所定時間（たとえば、５０ｍｓ）内に受信するか否か、及び受信した反射波に含まれている前面枠タグの識別情報とＲ／ＷユニットのＥＥＰＲＯＭに記憶されている識別情報とを比較して、両者が一致するか否かを判定するとともに、反射波を所定時間内に受信しなかったり（たとえば、前面枠が不正に開放された場合等）、受信した識別情報がＥＥＰＲＯＭに記憶されているものと一致しなかったりした場合（たとえば、前面枠タグが不正に交換された場合）には正常でないと判断し、その時刻をタイマに基づいてＥＥＰＲＯＭに監視履歴情報として記憶するものである。そして、正常でない状態を検知した場合には、Ｉ／Ｏインタフェイスを介して、報知ランプにてその旨の報知を行うように島設備に設置されている報知手段に要請する（信号を出力する）。また、ＥＥＰＲＯＭに記憶される監視履歴情報は、適宜ステーションへと送信され、ステーションにて管理される。ここで、監視用のＲＦＩＤ通信における一部の動作であって、識別情報の比較や判定、監視履歴情報の記憶や周囲への報知といった動作を監視動作とする。
尚、Ｒ／Ｗユニットは、パチンコ機が設置される島設備から電源を供給されているとともにバッテリを内蔵しており、夜間等に島設備の電源が落とされた場合には供給源をバッテリへと切り替えることで、前面枠タグと前面枠アンテナとの間で行われる監視用のＲＦＩＤ通信を短時間の周期（約数十ｍｓ）で常時繰り返し行っている。
【００２０】
また、Ｒ／Ｗユニットで制御される認証用のＲＦＩＤ通信とは、認証手段において行われるものであり、カードホルダに店員カードが差し込んだ際に、カードアンテナからの呼出波に対するカードタグからの反射波を受信すると、その反射波に含まれている店員情報と、ＲＡＭに記憶されている店員情報とを比較して、両者が一致するか否かを判定するものである。ここで、認証用のＲＦＩＤ通信における一部の動作であって、店員情報の比較や判定といった動作を認証動作とする。
また、Ｒ／Ｗユニットは、カードアンテナからの呼出波の送信は常時行っている（カードタグからの返信の有無にかかわらず）ものの、認証用のＲＦＩＤ通信における認証動作を、カードホルダに店員カードが差し込まれてから所定時間（たとえば、５ｓ）しか行わない。したがって、カードホルダに店員カードが差し込まれてから５ｓ以上経過すると、Ｒ／Ｗユニットは、認証用のＲＦＩＤ通信を、店員カードに収納されたカードタグからの反射波は受信するものの、店員情報の比較及び判定は行わない非認証状態（認証動作を行わない状態）へと移行させる。尚、カードホルダに店員カードが差し込まれてから一定時間（たとえば、６０ｓ）以上経過すると、カードホルダに店員カードが差し込まれたままである（置き忘れている可能性がある）ことを報知ランプにて報知するように、Ｉ／Ｏインタフェイスを介して報知手段に要請する（信号を出力する）。
【００２１】
さらに、Ｒ／Ｗユニットは、認証用のＲＦＩＤ通信における認証動作において、反射波に含まれている店員情報とＲＡＭに記憶されている店員情報とが一致した場合、権限を認証したものとして、その後認証動作を行う５ｓの間、監視用のＲＦＩＤ通信を行わない。加えて、５ｓ経過後、前面枠アンテナからの呼出波の送信を再開するものの、その呼出波に対して前面枠タグからの反射波を受信しなかったとしても、正常でない状態であると判断しない（監視動作を有効としていない）。したがって、権限が認証された後５ｓ以内に前面枠を開放した場合には、不正開放であるとみなされない。尚、認証用のＲＦＩＤ通信は、短時間の周期（約数十ｍｓ）で繰り返し行われている。
【００２２】
加えて、Ｒ／Ｗユニットは、権限を認証してから５ｓ経過した後に再開される監視用のＲＦＩＤ通信において、前面枠タグからの反射波の初めて受信を契機として監視動作を有効とする。したがって、権限認証後に前面枠を開放することなく５ｓ経過し、その後に前面枠を開放したり、５ｓ経過後に一旦前面枠を閉じて再び開放する行為は、たとえ店員が店員カードをカードホルダに差し込んだ状態で行っていたとしても不正開放として検知する。
また、Ｒ／Ｗユニットは、認証動作を行った時刻や、その際利用された店員情報等を作業履歴としてＥＥＰＲＯＭに記憶する。
【００２３】
（２）実施例の遊技機監視システムの構造
図１は、パチンコ機１を設置した島設備７１の説明図である。また、図２は、パチンコ機１の前面を示した説明図であり、図３は、遊技枠３及び前面枠４を片開きにした状態を示す斜視図である。
図１に示されているように、各島設備７１には、複数のパチンコ機１、１・・が隣接した状態で設置されているとともに、その側端には主にホール店員への報知を行う報知ランプ７２を備えた報知手段７３（外部に設けられた報知手段）が取り付けられている。
一方、パチンコ機１は、その周囲を機枠２によって支持されたものであって、機枠２の前面側には、金属板により形成されたミドル枠５が、左端縁（前面側から見て）を軸として着脱自在に蝶着されている。また、ミドル枠５の前面側でパチンコ機１の中央よりやや上方となる位置には、略正方形の遊技盤６が設置されている。そして、遊技盤６を覆うように前面枠４が左端縁（前面側から見て）を軸として着脱自在に蝶着されている。
【００２４】
また、前面枠４の下方には、発射装置７（図８に示す）に遊技球を供給するための供給皿８、及び供給皿８から溢れた遊技球を貯留するための貯留皿９が設置されている。加えて、供給皿８と貯留皿９との間には、効果音を出すためのスピーカ１０が設けられており、貯留皿９の右側（前面側から見て）には、発射装置７を操作するための発射ハンドル１１が取り付けられている。さらに、発射ハンドル１１の近傍には、店員カード４２を保持可能なカードホルダ４１が設置されている。尚、店員カード４２、及びカードホルダ４１等については後述する。
【００２５】
さらにまた、遊技盤６の前面側には、誘導レールによって囲まれた略円形の遊技領域１２が形成されている。遊技領域１２の略中央には、種々の動画やメッセージ等を表示可能な液晶画面１３を備えた図柄表示装置１４が設置されている。また、図柄表示装置１４の下方には、液晶画面１３に表示される図柄を変動させる契機となり得る図柄始動口１５が設けられており、その図柄始動口１５の下方には開閉可能な扉部材１６を備えた大入賞装置１７が設けられている。加えて、遊技領域１２には、遊技球の落下に変化をもたせるための多数の障害釘や風車等の遊技部材、遊技球が入賞可能な種々の入賞口、及び遊技性を高めるための電飾ランプ１８等が設けられている。
【００２６】
一方、図３に示されているように、遊技盤６の前面を覆うように取り付けられている前面枠４は、フレーム３５にガラス板（図示せず）が嵌め込まれてなるものである。フレーム３５の略中央には、円形の遊技窓３６が穿設されている。また、フレーム３５の後面周縁には、ガラス板を嵌め込むための２列の嵌合溝３７、３７が設けられている。ガラス板を嵌合溝３７、３７に嵌め込んだ状態で前面枠４を閉じることによって、遊技領域１２の前方をガラス板によって閉塞することで、遊技球が流下可能な遊技空間を形成することができる。
【００２７】
また、前面枠４の後面開放側上端縁には、監視用のＲＦＩＤ通信可能な監視タグである前面枠タグ３８が固着されている。さらに、遊技枠３の前面開放側上端縁であって、前面枠４を遊技枠３に対して閉じた際に監視タグ３８と対峙する位置に、前面枠タグ３８との間で監視用のＲＦＩＤ通信可能な監視アンテナである前面枠アンテナ３９が固着されている。そして、前面枠４を閉じれば、前面枠タグ３８と前面枠アンテナ３９との間の距離が通信可能な所定距離（たとえば５ｍｍ）となり、監視用のＲＦＩＤ通信を行うことができるようになっている。
【００２８】
図４は、本実施例で用いるタグの外観を示した説明図であり、図５は該タグの制御機構を示したブロック図である。
ここでは、タグについて、その一例である前面枠タグ３８を用いて説明する。前面枠タグ３８は、ガラスコンポジット（たとえば、ＣＥＭ３）で形成された薄い長方形状のプリント基板２６上に、ＲＦ回路２７とＥＥＰＲＯＭ２８とを一体にしたＩＣチップ２９、及び渦巻き状に形成された送受信回路３０を設けたものである。尚、図５に示されているように、ＲＦ回路２７には、ＥＥＰＲＯＭ２８と送受信回路３０とが接続されている。そして、ＥＥＰＲＯＭ２８の上書き消去禁止区域には、前面枠タグ３８と他のタグとを識別するためのＩＤコード等からなる固有の識別情報が記憶されている。
【００２９】
かかる前面枠タグ３８は、前面枠４を閉じた状態において後述する前面枠アンテナ３９との間で、所定の周波数（ここでは、１３．５６ＭＨｚ）を利用して、監視用のＲＦＩＤ通信を行うことができる。そして、前面枠アンテナ３９からの呼出波を送受信回路３０にて受信すると、予めＥＥＰＲＯＭ２８に記憶されている識別情報を読み出すとともに、反射波にのせて送受信回路３０から出力するように設定されている。尚、該ＲＦＩＤ通信は、タグとアンテナとの間に合成樹脂やガラス等の非金属からなるものが介在していたとしても問題なく行うことができる。
【００３０】
また、前面枠タグ３８は、前面枠アンテナ３９から送信されてきた呼出波を送受信回路３０にて受信し、呼出波に含まれている搬送波成分をＲＦ回路２７にて整流することによって直流電圧を得ることができるため、外部からの電源供給を受けることなく、呼出波を受信しさえすれば反射波を出力することができる。加えて、呼出波に特定のデータ（監視履歴情報等）が含まれていた場合には、該データをＥＥＰＲＯＭ２８に記憶することも可能である。
【００３１】
一方、図６は本実施例で用いるアンテナの外観を示した説明図であり、ここではアンテナについて、その一例である前面枠アンテナ３９を利用して説明する。尚、前面枠アンテナ３９は、上述の如く遊技枠３の前面開放側上端縁であって、前面枠４を遊技枠３に対して閉じた際に監視タグ３８と対峙する位置に固着されている。
前面枠アンテナ３９は、ガラスコンポジット（たとえば、ＣＥＭ３）で形成された薄板状の基板３１の表面に送受信回路３２を渦巻き状に設けたものである。また、送受信回路３２の端子３３、３３には同軸ケーブル３４が接続されている。そして、前面枠アンテナ３９は、該同軸ケーブル３４を介して後述するＲ／Ｗユニット２０のＲＦ回路５６へと接続されており、Ｒ／Ｗユニット２０の制御に基づいて、送受信回路３２から所定の周波数の呼出波を送信可能となっている。
【００３２】
一方、図７は店員カード４２を保持した状態のカードホルダ４１の説明斜視図である。尚、該カードホルダ４１は、上述の如くパチンコ機１の前面であって、発射ハンドル１１の近傍に設置されている。
カードホルダ４１は、差し込まれた店員カード４２を保持するためのカード保持部４０が基台４３の前面側に形成されたものである。カード保持部４０は、基台４３、該基台４３の前面両脇に設けられたアーム４４、４４、及びカードを載せるベース４５に囲まれて形成されており、上方から店員カード４２を差し込むようになっている。そして、カード保持部４０は、差し込まれた店員カード４２を、アーム４４、４４によって起立状態（若干の傾斜状態を含む）で保持することができる。
【００３３】
また、基台４３の前面側内部には、店員カード４２に収納されている認証タグであるカードタグ４６との間で認証用のＲＦＩＤ通信可能な認証アンテナであるカードアンテナ４７が収納されている。尚、カードアンテナ４７は、カード保持部４０に店員カード４２を差し込むだけで、店員カード４２に収納されたカードタグ４６との間で認証用のＲＦＩＤ通信可能となるように、前面側表面付近に収納されている。
該カードアンテナ４７は、図６に示されているアンテナと略同様の構成を有するものであり、同軸ケーブル３４を介して、Ｒ／Ｗユニット２０へと接続されている。したがって、Ｒ／Ｗユニット２０の制御に基づいて、送受信回路３２から所定の周波数の呼出波を送信可能となっている。
【００３４】
店員カード４２は、店員情報を記憶したカードタグ４６が収納された合成樹脂製のカードであり、パチンコホールの管理のもと、パチンコ機を取り扱う権限を有する各店員に所持してもらうものである。また、カードタグ４６は、図４及び図５に示されているタグと略同様の構成を有しており、そのＥＥＰＲＯＭ２８には店員ＩＤ等からなる店員情報が記憶されている。そして、カードアンテナ４７からの呼出波を受信すると、店員情報を含んだ反射波を送信するようになっている。また、カードタグ４６は、カードホルダ４１に店員カード４２が差し込まれた際、カードアンテナ４７と対峙するような位置に収納されている。
【００３５】
一方、図８は、パチンコ機１の後面を示した説明図である。
パチンコ機１の後面は、ミドル枠５に、センターカバー２１、主制御基板収納ケース１９、遊技球タンク２２、遊技球タンク２２に貯留されている遊技球を賞品球や貸球として払い出すための遊技球払出装置２３、該遊技球払出装置２３の動作を制御する払出制御基板を収納した払出制御基板収納ケース２５等が設置された状態となっている。そして、センターカバー２１の内面にはＲ／Ｗユニット２０が取り付けられている。
【００３６】
パチンコ機１の遊技内容に関する種々の動作を制御する（遊技に係る制御を行う）主制御基板４８を収納した主制御基板収納ケース１９は左下方（図８において）に設置されている。ここで、パチンコ機１の遊技内容に関する種々の動作とは、遊技球の払出に関する動作や、遊技者にとって有利な「大当たり状態」を生起させるか否かの「抽選」に関する動作等の各種動作（すなわち、遊技者の利益に直接的に関わる動作）のことである。尚、主制御基板４８には、パチンコ機１の遊技内容に係る動作を制御するためのＬＳＩ等の各種の制御素子が搭載されている。該ＬＳＩは、各種の演算処理を行うＣＰＵ、データやプログラム等を一時的に記憶するＲＡＭ、各種のデータや制御プログラム等を記憶したＲＯＭ等を一体にモールディングしたものである。
【００３７】
また、主制御基板収納ケース１９の右隣（図８において）には、主制御基板４８からの指令に基づいて、スピーカ１０から出す音を制御する音制御基板を収納した音制御基板収納ケース４９が設置されている。さらにその右隣（図８において）には、主制御基板４８からの指令に基づいて、遊技球払出装置２３の動作を制御する払出制御基板を収納した払出制御基板収納ケース２５が設置されている。
【００３８】
さらに、主制御基板収納ケース１９の上方に設置されたセンターカバー２１内には、主制御基板４８からの指令に基づいて、図柄表示装置１４の制御を行う図柄制御基板を収納した図柄制御基板収納ケース５０、主制御基板４８と、音制御基板等の主制御基板４８から指令を受ける各種基板との間の中継の役割を果たすサブ統合基板を収納したサブ統合基板収納ケース２４等が設置されている。
そして、上記各基板収納ケースは、前ケース及び後ケースからなる分割式の収納ケースとなっており、容易に開いてしまわないように前ケースと後ケースとが強固に固着された状態となっている。
また、センターカバー２１内には、上述したような各種収納ケースの他に、監視用のＲＦＩＤ通信や認証用のＲＦＩＤ通信の制御等を行うＲ／Ｗユニット２０が取り付けられている。尚、該Ｒ／Ｗユニット２０は、通常パチンコ機１が設置されている島設備７１から電源供給を受けているとともに、充電可能なバッテリ６５を内蔵しており、夜間等に島設備７１から電源供給を受けることができなくなった場合には、バッテリ６５により動作可能となっている。
【００３９】
以下、Ｒ／Ｗユニット２０について詳述する。図９は、Ｒ／Ｗユニット２０の制御機構を示したブロック図である。
Ｒ／Ｗユニット２０は、制御手段であるＣＰＵ５１、ＲＡＭ５２、ＲＯＭ５３、ＥＥＰＲＯＭ５４、タイマ５５、ＲＦ回路５６、ステーション５８や主制御基板４８と接続する（外部と通信する）ための入出力手段であるＩ／Ｏインタフェイス５７、及びバッテリ６５等を有している。
【００４０】
ＲＡＭ５２には、後述するように毎朝ステーション５８から送信されてくる店員情報が上書き記憶されている。また、ＥＥＰＲＯＭ５４には、前面枠タグ３８に記憶されている識別情報が予め記憶されている。さらに、ＥＥＰＲＯＭ５４には、監視動作において生成される監視履歴情報も記憶される。
尚、ＲＦ回路５６は、上述の如く前面枠アンテナ３９及びカードアンテナ４７と同軸ケーブル３４を介して接続されており、各アンテナから送信する呼出波の生成や反射波の整流を行っている。加えて、図９に示されているように、Ｒ／Ｗユニット２０は、Ｉ／Ｏインタフェイス５７を介してステーション５８や報知手段７３と接続されているため、ステーション５８との間で監視履歴情報や指令となる信号等のやりとりを行ったり、報知ランプ７２を備えた報知手段７３に報知を行うよう要請したりすることができる。
【００４１】
一方、ステーション５８は、パチンコ機１が設置される遊技店（ホール）に備えられるホールコンピュータであって、各パチンコ機１に設置されるＲ／Ｗユニット２０のＩ／Ｏインタフェイス５７に接続されている。そして、ステーション５８には、各店員カード４２に記憶されている店員情報を全て記憶しているとともに各Ｒ／Ｗユニット２０から送信されてくる監視履歴情報を記憶する記憶手段６１、該記憶手段に記憶されている情報の管理を行う管理手段５９、Ｒ／Ｗユニット２０へと店員情報等を出力可能な送受信手段６０等が備えられている。そして、毎朝ホールでは、ステーション５８を用いて、その日出勤する店員が所持する店員カード４２に記憶されている店員情報のみを管理手段５９によって選択し、各Ｒ／Ｗユニット２０へと送受信手段６０を介して送信する。
【００４２】
上述の如く構成されたＲ／Ｗユニット２０は、ＲＦ回路５６を介して前面枠アンテナ３９から送信した呼出波に対して、前面枠タグ３８からの反射波を受信すると、反射波に含まれている識別情報とＲ／Ｗユニット２０のＥＥＰＲＯＭ５４に記憶されている識別情報とが一致することを確認した後、直ちに再度呼出波を送信するという監視用のＲＦＩＤ通信を、ごく短時間（数十ｍｓ）の周期で繰り返し２４時間行っている。そして、この監視用のＲＦＩＤ通信において、たとえば呼出波に対して前面枠タグ３８からの反射波を受信しなくなった場合（前面枠４が不正に開放された場合等）等には、ＣＰＵ５１において正常でない状態であると判断し、監視履歴情報として正常でない状態を検知した時刻をＥＥＰＲＯＭ５４に記憶する。また、Ｉ／Ｏインタフェイス５７を介して、不正行為が行われている可能性がある旨を報知ランプ７２にて報知するよう報知手段７３に要請する。
【００４３】
また、Ｒ／Ｗユニット２０は、ＲＦ回路５６を介してカードアンテナ４７から常時呼出波を送信している。そして、カードホルダ４１に店員カード４２が差し込まれ、カードアンテナ４７とカードタグ４６との間で認証用のＲＦＩＤ通信が成立すると、カードタグ４６からの反射波に含まれている店員情報と、Ｒ／Ｗユニット２０のＲＡＭ５２に記憶されている店員情報とが一致するか否かを確認するという認証動作を行う。
【００４４】
尚、Ｒ／Ｗユニット２０は、認証用のＲＦＩＤ通信（認証動作を行う場合も含めて）をごく短時間（数十ｍｓ）の周期で２４時間繰り返し行っている。また、店員情報の比較の結果、一致と認証されてから（権限が認証されてから）６０ｓ経過すると、Ｉ／Ｏインタフェイス５７を介して、店員カード４２が置き忘れられている可能性がある旨を報知ランプ７２にて報知するよう報知手段７３に要請する。
一方、Ｒ／Ｗユニット２０は、受信した反射波に含まれる店員情報とＲＡＭ５２に記憶されている店員情報とが一致するか否かを確認するという認証動作を、カードホルダ４１に店員カード４２が差し込まれてから５ｓ間しか行わない。したがって、店員カード４２が差し込まれてから５ｓ経過すると、認証用のＲＦＩＤ通信において認証動作を行わない非認証状態へと移行する。
【００４５】
また、権限を認証してから５ｓ間、Ｒ／Ｗユニット２０は、監視用のＲＦＩＤ通信を行わない。さらに、権限を認証してから５ｓ経過すると、前面枠アンテナ３９から呼出波を送信するという監視用のＲＦＩＤ通信を再開する。しかしながら、再開された監視用のＲＦＩＤ通信では、前面枠アンテナ３９からの呼出波に対して前面枠タグ３８からの反射波を受信しなくとも、正常な状態でないと判断しない（監視動作を有効としていない）。したがって、Ｒ／Ｗユニット２０は、権限を認証後、５ｓ以内における前面枠４の開放行為のみ、不正開放として検知しない。
さらに、Ｒ／Ｗユニット２０は、この監視用のＲＦＩＤ通信において、前面枠タグ３８からの反射波の初めての受信を契機として、監視動作を有効とする。したがって、権限を認証後に前面枠４を開放することなく５ｓ以上経過し、その後に前面枠４を開放したり、５ｓ以内に前面枠４を開放したものの５ｓ以上経過後に一旦閉じて再び開放しようとすると、たとえ店員カード４２を差し込んだままであったとしても不正行為として検知する。
【００４６】
（３）実施例の遊技機監視システムの動作内容
パチンコ機１は、主制御基板収納ケース１９に収納された主制御基板４８に記憶されているプログラムにしたがって、主たる遊技動作を実行する。そして、発射ハンドル１１の回動操作によって遊技領域１２に打ち出された遊技球が図柄始動口１５に入賞すると、主制御基板４８において「抽選」を実行し、「大当たり」となるか否かを決定する。また、「抽選」を実行すると略同時に図柄表示装置１４の液晶画面１３に表示されている図柄を変動させ（他の図柄と順々に入れ替わる動画等を表示し）、所定時間後に停止させて新たな図柄を表示する。さらに、「抽選」において「大当たり」となった場合には、図柄の変動後に予め設定されている「大当たり図柄」を表示するとともに、「大当たり状態」を生起させて、大入賞装置１７の扉部材１６を所定回数だけ断続的に開放させる。尚、大入賞装置１７の扉部材１６は、「大当たり状態」生起時以外では開放しないようになっている。一方、扉部材１６の内部の大入賞口や各種の入賞口に遊技球が入賞した場合には、所定数の遊技球を遊技球払出装置２３によりカウントして、賞品球として供給皿８へと払い出す。
【００４７】
一方、Ｒ／Ｗユニット２０は、前面枠４の不正開放等の行為を監視すべく、前面枠アンテナ３９と前面枠タグ３８との間で行われる監視用のＲＦＩＤ通信の制御を行っている。図１０は、パチンコ機１の監視用のＲＦＩＤ通信を示すフローチャート図である。以下、図１０に沿ってパチンコ機１の監視用のＲＦＩＤ通信を説明する。
【００４８】
まず、Ｓ１において、Ｒ／Ｗユニット２０は、前面枠アンテナ３９の送受信回路３２を介して所定の周波数の呼出波を送信する。前面枠タグ３８は、前面枠アンテナ３９からの呼出波を送受信回路３０にて受信すると、直ちにＥＥＰＲＯＭ２８に記憶されている識別情報を読み出し、ＲＦ回路２７にて識別情報を含んだ反射波を生成し、送受信回路３０から返信する。該反射波は、前面枠アンテナ３９の送受信回路３２を介して受信される。
ここで、Ｒ／Ｗユニット２０は、Ｓ２において、前面枠アンテナ３９からの呼出波に対して所定時間内（たとえば５０ｍｓ以内）に前面枠タグ３８からの反射波を受信したか否かを判定する。そして、Ｓ２における判定の結果、反射波の受信が所定の時間以内であった場合には、正常な状態であると判断し、Ｓ３へと進む。
【００４９】
Ｓ３において、Ｒ／Ｗユニット２０は、受信した前面枠タグ３８からの反射波に含まれる識別情報と、予めＲ／Ｗユニット２０のＥＥＰＲＯＭ５４に記憶されている識別情報とが一致するか否かを判定する。そして、Ｓ３における判定の結果、両者が一致した場合には、正常な状態であると判断し、Ｓ１へと戻り、再び前面枠アンテナ３９から呼出波を送信する。尚、この監視用のＲＦＩＤ通信は、上述したように短時間の周期で２４時間繰り返し行われている。
【００５０】
一方、Ｓ２における判定の結果、呼出波に対して反射波を所定時間内に受信できなかった場合には、正常でない状態（前面枠４が不正に開放された状態）であると判断する。また、Ｓ３における判定の結果、反射波に含まれる識別情報と、Ｒ／Ｗユニット２０に予め記憶されている識別情報とが一致しなかった場合にも、正常でない状態（前面枠タグ３８が不正交換された状態）であると判断する。以上のように正常でない状態であると判断すると、Ｓ４へと進み、正常でない状態であると判断した時刻をタイマ５５に基づき監視履歴情報としてＥＥＰＲＯＭ５４に記憶する。そして、不正に前面枠４が開放されている可能性がある旨を報知ランプ７２にて報知するよう報知手段７３に要請する。
以上のような態様で、パチンコ機１は、監視用のＲＦＩＤ通信を行っている。尚、ＥＥＰＲＯＭ５４に記憶される監視履歴情報は、必要に応じてステーション５８へと送信可能であり、ステーション５８の記憶手段６１にて記憶されるとともに管理手段５９にて管理される。また、ステーション５８側からの要請により、ＥＥＰＲＯＭ５４に記憶されている監視履歴情報等を読み出したり、消去したりすることもできる。
【００５１】
また、Ｒ／Ｗユニット２０は、たとえば遊技領域１２内での球詰まりの発生等により店員が前面枠４を開放する際、店員がパチンコ機１を取り扱う権限を有していることを確認するために行われる認証用のＲＦＩＤ通信の制御を行っている。図１１及び図１２は、パチンコ機１の認証用のＲＦＩＤ通信を示すフローチャート図である。以下、図１１及び図１２に沿ってパチンコ機１の認証用のＲＦＩＤ通信を説明する。
【００５２】
毎朝ホールでは、その日出勤する店員をチェックし、ステーション５８の記憶手段６１に記憶されている店員情報のうち該当する店員の店員情報のみを管理手段５９によって選択し、送受信手段６０を介して各Ｒ／Ｗユニット２０へと送信する。Ｒ／Ｗユニット２０は、送信されてきた店員情報をＲＡＭ５２に記憶する。尚、その際、前日に記憶した店員情報に上書きするものとする。
そして、店員は、たとえば遊技領域１２内での球詰まり等により前面枠４を開放する必要が生じた場合等に、カードホルダ４１に店員カード４２を差し込むことで、不正行為として検知されることなく前面枠４を開放することができる。その際、カードホルダ４１に収納されたカードアンテナ４７と、店員カード４２に収納されたカードタグ４６との間で認証用のＲＦＩＤ通信が行われる。
【００５３】
ここでは、まず、カードホルダ４１に店員カード４２が差し込まれていない状態における認証用のＲＦＩＤ通信を説明する。Ｓ１１において、Ｒ／Ｗユニット２０は、カードアンテナ４７の送受信回路３２を介して所定の周波数の呼出波を送信する。そして、Ｓ１２において、その呼出波に対してカードタグ４６からの反射波を受信したか否かを判定する。しかしながら、店員カード４２は差し込まれていないため、Ｓ１３及びＳ１４において後述する停止フラグ及び非認証フラグの確認（当然、最初は両者ともＯＦＦである）を行った後、Ｓ１１へと戻り、再びカードアンテナ４７から呼出波を送信する。
【００５４】
次に、カードホルダ４１に店員カード４２が差し込まれた状態における認証用のＲＦＩＤ通信を説明する。
カードホルダ４１に店員カード４２が差し込まれると、自然にカードタグ４６とカードアンテナ４７との間で認証用のＲＦＩＤ通信が行われるようになるため、Ｓ１２における判定がＹＥＳとなり、Ｓ２１へと進む。Ｓ２１において、Ｒ／Ｗユニット２０は、非認証フラグの確認（後述の如く店員カード４２が差し込まれてから５ｓ以内はＯＦＦである）を行った後に、Ｓ２２において、反射波に含まれる店員情報と、Ｒ／Ｗユニット２０のＲＡＭ５２に記憶されている店員情報とが一致するか否かを判定する。Ｓ２２における判定の結果、両者が一致しなかった場合（たとえば、欠勤しているはずの店員の店員カードであったり、偽造された店員カードであったりする場合）には、該店員カード４２を無効とみなし、Ｓ３２において、無効なカードが使われた旨（その際利用された店員情報等）をＥＥＰＲＯＭ５４に作業履歴として記憶した後、Ｓ１１へと戻る。
一方、Ｓ２２における判定の結果、両者が一致した場合（権限を認証した場合）には、Ｓ２３において停止フラグの確認（当初はＯＦＦである）を行った後、Ｓ２４にて停止フラグをＯＮとし、さらにＳ２５にて監視用のＲＦＩＤ通信を停止する。したがって、この時点で店員が前面枠４を開放したとしても、Ｒ／Ｗユニット２０は不正行為であるとみなさない。
【００５５】
そして、Ｓ２６において、権限認証後５ｓ経過したか否かを判定し、経過していなければＳ１１へと戻り、再びカードアンテナ４７から呼出波を送信する。一方、Ｓ２６における判定の結果、権限認証５ｓ以上経過していると判定した場合には、Ｓ２７において非認証フラグをＯＮする一方、Ｓ２８において停止フラグをＯＦＦした後、監視用のＲＦＩＤ通信における前面枠アンテナ３９から呼出波の送信を行う。すなわち、認証用のＲＦＩＤ通信が非認証状態へと移行する。
尚、Ｒ／Ｗユニット２０は、このように再開された監視用のＲＦＩＤ通信において、前面枠アンテナ３９からの呼出波に対して前面枠タグ３８からの反射波を受信しなくとも（たとえば、前面枠４が開放されていたとしても）、Ｒ／Ｗユニット２０は、正常でない状態であるとは判断しない（監視動作を有効としていない）。また、再開された前面枠アンテナ３９からの呼出波に対しての前面枠タグ３８からの初めての反射波の受信を契機として、図１０で示されているような監視用のＲＦＩＤ通信が再開される（監視動作を有効とする）。
【００５６】
そして、認証用のＲＦＩＤ通信が非認証状態へと移行すると、Ｓ２１における判定の結果がＹＥＳとなり、Ｓ３０へと進む。そして、Ｓ３０において、Ｒ／Ｗユニット２０は、権限認証後６０ｓ経過したか否かを判定し、６０ｓ経過していない場合には、Ｓ１１へと戻る。一方、権限認証後６０ｓ以上経過していると判定した場合（店員カード４２が差し込まれてから約６０ｓ以上経過した場合）には、店員カード４２がカードホルダ４１に置き忘れられている可能性があるため、Ｓ３１において、その旨を報知ランプ７２にて報知するよう報知手段７３に要請する。
【００５７】
尚、権限認証後、非認証状態へと移行することなく（５ｓ以内に）店員カード４２が抜き取られた場合には、Ｓ１３における停止フラグの確認の結果、ＹＥＳとなりＳ１７へと進み、停止フラグをＯＦＦした後、Ｓ１８において、上述したようなＳ２９における動作と同様の制御を行う。すなわち、前面枠アンテナ３９からの呼出波の送信を再開する。この場合の監視用のＲＦＩＤ通信においても、上述同様に前面枠アンテナ３９からの呼出波に対して前面枠タグ３８からの反射波を受信しなくとも、Ｒ／Ｗユニット２０は正常でない状態であるとは判断しない。
また、非認証状態へと移行後、店員カード４２が抜き取られると、Ｓ１３における非認証フラグの確認の結果ＹＥＳとなり、Ｓ１５にて非認証フラグをＯＦＦした後、報知ランプ７２にて報知するよう報知手段７３に要請していた場合には、Ｓ１６にて該要請を停止してＳ１１へと戻る（報知要請を行っていなかった場合にも、勿論Ｓ１１へと戻る）。
【００５８】
以上のような認証用のＲＦＩＤ通信は、ごく短い周期で繰り返し行われるものである。また、監視動作が停止した時刻（すなわち、権限を認証した時刻）や、その際に利用された店員カード４２の店員情報等は作業履歴としてＲ／Ｗユニット２０のＥＥＰＲＯＭ５４に記憶される。該作業履歴は、必要に応じて、ステーション５８へと送信可能であり、ステーション５８の記憶手段６１にて記憶されるとともに管理手段５９にて管理される。また、ステーション５８側からの要請により、ＥＥＰＲＯＭ５４に記憶されている作業履歴等を読み出したり、消去したりすることもできる。
【００５９】
ここで、ステーション５８の表示画面の一例を示す図１３に基づいて、より具体的な店員情報の制御及び管理等を説明する。尚、図１３では店員情報のことをタグＩＤとして表示している。
店長は、ステーション５８において毎朝図１３に示されているような画面を立ち上げると、オートチェックをクリックし、予め登録されているシフトにしたがった出欠状況の確認を行う。ここで、午前及び午後のチェックの欄で黒く塗りつぶされている者が、本日出勤予定の者である。そして、予め登録されているシフト通りでない者がいる場合（たとえば、病気で欠勤する者や、代替出勤する者がいる場合）には、チェック欄の白黒を反転させて、正しい出欠状況が表示されるように修正する。その後、正しい出欠状況が表示された状態で送信をクリックすれば、黒く塗りつぶされている者の店員情報（タグＩＤ）のみが各Ｒ／Ｗユニット２０へと送信される。
このようにして、毎朝ステーション５８から各Ｒ／Ｗユニット２０のＲＡＭ５２へと店員情報が送信される。尚、［設定］とは店員の追加、店員情報の修正、シフトの登録及び変更等の各種設定を行うためのものであり、［シフト表示］とはその日出勤する者から順番に表示させるものである。
【００６０】
（４）実施例の遊技機監視システムの効果
本実施例に係る遊技機監視システムは、上記の如く、前面枠４には前面枠タグ３８が、遊技枠３には前面枠アンテナ３９が夫々固着されており、前面枠タグ３８と前面枠アンテナ３９との間で監視用のＲＦＩＤ通信を行うことで、遊技枠３に対する前面枠４の開閉状態を監視している。したがって、たとえば遊技者が前面枠４をわずかでも不正に開放すると、前面枠アンテナ３９は前面枠タグ３８からの反射波を受信することができなくなるため、Ｒ／Ｗユニット２０によって正常でない状態にあることを直ちに検知することができる。また、前面枠タグ３８からの反射波を受信できなくなった時刻を監視履歴情報としてＥＥＰＲＯＭ５４に記憶するため、より効果的な監視をリアルタイムで行うことができる。そして、このような効果的な監視を行うことにより、前面枠４に対して不正行為を行いにくいパチンコ機１を提供することができる。
加えて、監視用のＲＦＩＤ通信において、前面枠タグ３８からの反射波に含まれている識別情報が、ＥＥＰＲＯＭ５４に記憶されている識別情報と異なっていた場合にも、正常でない状態であると判断し、その識別情報を受信した時刻を監視履歴情報としてＥＥＰＲＯＭ５４に記憶するため、前面枠タグ３８の不正交換といった事態にも対応することができる。
【００６１】
また、本実施例に係る遊技機監視システムでは、Ｒ／Ｗユニット２０とステーション５８とを接続しているため、ステーション５８から店員情報等を受信可能となっている。そして、Ｒ／Ｗユニット２０は、受信した店員情報をＲＡＭ５２に記憶しているため、カードホルダ４１に店員カード４２が差し込まれる毎にわざわざステーション５８との間で店員情報のやりとりを行わなくてすむ。したがって、認証用のＲＦＩＤ通信をよりスムーズに行うことができる。
さらに、ステーション５８から、その日出勤する店員の店員情報のみをＲ／Ｗユニット２０へと送信するようにしているため、欠勤しているはずの店員の店員カードが不正に利用されたり、退社したはずの店員の店員カードが不正に利用されたりすることがなく、より信頼性の高い監視を行うことができる。その上、ステーション５８からＲ／Ｗユニット２０へと送信される店員情報は、その日出勤する店員のもののみであるため、送信時間等を短縮することができ、よりスムーズな監視を行うことができる。
【００６２】
さらにまた、カードホルダ４１に店員カード４２を差し込んだ際に行われる認証動作を５ｓ間しか行わない上、店員カード４２を６０ｓ以上にわたってカードホルダ４１内に差し込んだままでいた場合に報知ランプ７２にて報知するよう報知手段７３に要請するため、店員カード４２の置き忘れを防止することができ、ひいては置き忘れによる店員カードの盗難及び不正使用をも防止することができる。
また、権限を認証してから５ｓ後には非認証状態へと移行するため、前面枠４が開放されているにもかかわらず、認証動作を繰り返し行うといった無駄な制御を行わないため、Ｒ／Ｗユニット２０にかかる負担を抑えることができる。そして負担を軽減することによって、Ｒ／Ｗユニット２０の寿命や耐久性を向上させることが可能となり、ひいては設備にかかる費用の削減にもつなげることができる。
【００６３】
加えて、本実施例に係る遊技機監視システムは、従来よりホールに備えられているステーション５８を利用するとともに、従来よりホールに設置されているパチンコ機に、Ｒ／Ｗユニット２０、前面枠タグ３８、前面枠アンテナ３９、及び認証手段を取り付けるだけで構成可能である。すなわち、本実施例に係る遊技機監視システムは、その汎用性が非常に高い。
尚、Ｒ／Ｗユニット２０は、パチンコ機１が設置される島設備７１から通常電源供給を受けているとともに、充電可能なバッテリ６５を内蔵しているため、夜間パチンコ機１や島設備７１の電源が落とされた状態でもパチンコ機１に対する不正行為をリアルタイムで監視することができる。また、前面枠タグ３８と前面枠アンテナ３９との間の通信可能な距離が５ｍｍと短く設定されているため、わずかな開放をも検知することができる。
【００６４】
（５）本発明の変更例の説明
本発明の遊技機監視システムは、上述した実施例の態様に何ら限定されるものではなく、前面枠タグ、前面枠アンテナ、監視制御装置、ステーション、及び認証手段等の材料、形状、構造、取付位置、設置数等の構成を本発明の趣旨を逸脱しない範囲内で適宜変更することができる。
【００６５】
たとえば、店員カード等を利用した認証手段でなく、Ｒ／Ｗユニットに接続された中継タグと、該中継タグとＲＦＩＤ通信可能なユニットを備えたＰＤＡ（Personal Digital Assistant）等の外部携帯端末とを利用した認証手段とし、パスワード等により認証の確認を行うようにしても何ら問題はない。また、毎朝ステーションから店員情報を送信するのではなく、該ＰＤＡを利用して店員情報をＲ／Ｗユニットに送信して記憶させるようにしても何ら問題はない。加えて、店員カードの形状や、カードホルダの形状・設置位置等も実施例の形態に何ら限定されることはなく、遊技機の前面にスリット状の差込口を開口したカードホルダ（遊技機に内蔵型）としてもよい。更に、ＰＤＡにおいてＲ／Ｗユニットに記憶されている監視履歴情報等を管理可能としてもよい。
【００６６】
また、カードホルダを、店員カード以外のカード（たとえば、遊技者が保持するものであって、遊技履歴が記憶された遊技者カード等）を差込可能に構成してもよい。具体的には、基台の厚みをより厚いものとし、基台の前面側に遊技者カードを、右側面側に店員カードを保持するようなカードホルダとすることが考えられる。
さらに、Ｒ／Ｗユニットにおいて送信されてきた店員情報をＲＡＭに記憶するのではなく、ＥＥＰＲＯＭに記憶するようにしてもよいし、別の記憶手段を設けても何ら問題はない。逆に、監視履歴情報、及び作業履歴に関する記憶を全てＲＡＭにて行うようにすることもできる。
【００６７】
また、監視タグの設置位置、及び監視アンテナの固着位置も、前面枠と遊技枠に限定されることはなく、機枠に監視タグを、遊技枠に監視アンテナをそれぞれ固着して、機枠に対する遊技枠の開閉状態を監視するようにしてもよいし、分割式の収納ケースで形成されている主制御基板収納ケースに監視タグ及び監視アンテナを固着して、主制御基板が不正に交換されないかを監視するようにしてもよい。また、図柄制御基板収納ケース等の分割式の各種基板収納ケースや、供給皿、貯留皿、遊技球払出装置等の監視を行うようにしてもよい。
他にも、たとえば大入賞装置に対する扉部材の開閉状態を監視するようにしてもよい。その際には、扉部材に監視タグを、大入賞装置側に監視アンテナを設置すればよい。このようにして扉部材の開閉状態を監視することで、ピアノ線等を利用した不正行為（前面枠の隙間から差し込んで大当たり状態でないにも拘わらず、扉部材を開放する等）を検知することができる。
【００６８】
さらに、本実施例ではＲ／Ｗユニットは一箇所の監視のみを行っているものであるが、複数箇所で行われる監視用のＲＦＩＤ通信を制御可能としてもよい。そのようなＲ／Ｗユニットとすることで、一台のＲ／Ｗユニットで遊技機の複数箇所（たとえば上述したような箇所）の監視を行うことが可能となり、さらに汎用性の高い遊技機監視システムとすることができる。
【００６９】
さらにまた、分割式の各種基板収納ケースの構成を、シンプルな係合機構（たとえば先端が矢尻状に形成された係止片と係合孔とによる機構）を備えたものとしてもよいし、片方のケースの端縁に、ワンウェイタイプのネジを保持した切断可能な複数のネジ保持部を設ける（たとえば、小径の連結体を介して片方のケースの本体にネジ保持部が繋がった形状となるように、片方のケース、連結体、ネジ保持部を合成樹脂によって一体的に成形する）とともに、他方のケースの端縁に、ネジ保持部に保持されたネジを螺着させるネジ孔を形成したもの等に変更することも可能である。かかる構成を採用した場合には、各種基板収納ケースが不正に開放されると、各種基板収納ケースに不正に開放された痕跡が残り、目視によってもその事態を速やかに把握することができるため、各種基板収納ケースの不正開放が一層困難なものとなる、というメリットがある。
【００７０】
また、各タグや各アンテナ等を固着する方法は、接着剤による接着であってもよいし、各タグや各アンテナを構成する樹脂を融着させる方法や、各タグや各アンテナを一体的に成形する方法等の別の取付方法に変更することも可能である。なお、シート状のタグやアンテナを、裏面に粘着剤を塗布したシールとするとともに、粘着剤層の表面に剥離紙を貼着しておき、設置する際に剥離紙を剥離して貼着するようにすれば、タグやアンテナの設置が非常に容易になる、というメリットがある。
さらに、上述の如く、各タグ、及び各アンテナをシールとする場合には、それらが剥離された場合に機能を果たさなくなるようにする（いわゆる、自己破壊タイプのものとする）ことも可能である。そのように構成した場合には、遊技機監視システムによる監視の精度をより高いものとすることが可能となる。なお、タグやアンテナを自己破壊タイプのものとする方法としては、フレキシブルプリント基板の表面に積層する粘着剤層中に送受信回路を形成する方法や、剥離によって所定量以上の応力が加わると短絡するような回路をタグやアンテナに設ける（内蔵させる）方法等を採用することができる。
【００７１】
さらにまた、各タグに記憶される識別情報は、他のタグと識別するためのＩＤコードのみならずメーカーＩＤやホールＩＤ等をも記憶させたものとすることもできるし、固着位置に関する情報を記憶したものとしてもよい。また、監視用のＲＦＩＤ通信及び認証用のＲＦＩＤ通信を、赤外線通信を利用した通信等に変更することも可能である。さらに、本発明の遊技機は、パチンコ機に限定されず、スロットマシーンやテレビゲーム等のパチンコ機以外の遊技機に変更することも可能である。
加えて、Ｒ／Ｗユニットは、異常を検知した旨を不揮発性の記憶手段であるＥＥＰＲＯＭに記憶するものに限定されず、通常のＲＡＭ、ハードディスク、光メディア等の記憶手段に記憶するもの等でもよい。また、Ｒ／Ｗユニットは、遊技機が設置される島設備から電源供給を受けるものに限定されず、パチンコ機から直接電源供給を受けるもの等でもよい。さらに、Ｒ／Ｗユニットを島設備等の遊技機の外部に設置してもよい。加えて、遊技機一台に対して一つのＲ／Ｗユニットとするのではなく、一つのＲ／Ｗユニットで複数台の遊技機を監視するようにしてもよい。
【００７２】
さらに、遊技機監視システムは、営業時間中には異常事態の報知のみを行い（監視履歴情報の記憶を行わない）、遊技機が稼働していない夜間等に監視履歴情報をＥＥＰＲＯＭ等の記憶手段に記憶のみ行うものに変更することも可能である。さらにまた、本実施例では店員カードを認証後、監視用のＲＦＩＤ通信を停止するようにしているが、監視用のＲＦＩＤ通信を停止することはなく、ただ監視用のＲＦＩＤ通信が不成立となったとしても正常でない状態にあると判断しないという制御とすることも当然可能である。そうすることで、非認証状態へと移行するまでの間の前面枠の開放等に関する情報（何時開放されたかや何回開放されたか等）をも確実に検知できるため、より精度の高い監視を行うことができる。その際、監視用のＲＦＩＤ通信が不成立となった時刻を作業履歴としてＥＥＰＲＯＭに記憶させるようにしてもよい。
なお、Ｒ／Ｗユニットとステーション等の外部のネットワークとの接続方法は、有線による接続であってもよいし、無線による接続でもよい。さらにまた、主制御基板とＲ／Ｗユニットとを接続してＲ／Ｗユニットから主制御基板へと信号を出力可能として、正常でない事態の報知や置き忘れ報知をパチンコ機のスピーカや電飾ランプ等にて行うようにしてもよいし、図柄表示装置等に不正行為が行われている可能性がある旨や店員カードを置き忘れている旨を表示するようにしてもよいし、報知手段として遊技機に不正表示ランプ等を別途設け、点灯点滅させるようにしてもよい。勿論、ステーションにて報知するようにしても何ら問題はない。また、Ｒ／ＷユニットのＣＰＵにて報知ランプにおける報知態様の制御を行うようにすることも当然可能である。
加えて、監視用のＲＦＩＤ通信及び認証用のＲＦＩＤ通信において、各タグと各アンテナとの間の通信可能な距離を５ｍｍとしたが、３ｍｍとしてもよいし、それ以上またはそれ以下に設定しても何ら問題はない。また、そのＲＦＩＤ通信において利用される周波数も、実施例のものに限定されることはない。尚、実施例では、監視用のＲＦＩＤ通信において、監視アンテナからの呼出波に対して５０ｍｓ後に監視タグからの反射波を受信しなければ不正開放の検知を行うものとしたが、呼出波に対して５０ｍｓ後の受信に何ら限定されることはなく、それ以上であってもそれ以下であっても何ら問題はない。
【００７３】
また、上述した実施例では、監視履歴情報を、監視用のＲＦＩＤ通信において正常でない状態を検知した時刻に関連づけたものとしているが、監視用のＲＦＩＤ通信が正常でない状態から正常に復帰した時刻や、正常でない状態であった時間等に関連づけたものとしてもよい。そうすることで、たとえ不正行為が行われた後に正常な状態に復帰した場合等に、より詳しい監視履歴情報を得ることができる。さらに、ステーション等で監視履歴情報を参照した際に、所定時間内に反射波を受信できなかったのか或いは受信した識別情報が異なっていたのかを区別することができるような監視履歴情報とすることも可能である。
さらに、実施例では、権限認証後５ｓ経過する非認証状態へと移行し、６０ｓ経過すると置き忘れの報知を行うようにしているが、それらに限定されることはなく、１０ｓ経過後に非認証状態へと移行し、９０ｓ経過で置き忘れの報知を行うようにすることもできるし、３ｓ経過後に非認証状態へと移行し、３０ｓ経過で置き忘れの報知を行うようにしてもよく、適宜変更設定可能である。
【図面の簡単な説明】
【００７４】
【図１】島設備を示す説明図である。
【図２】パチンコ機の前面を示す説明図である。
【図３】遊技枠及び前面枠を片開きにした状態を示すパチンコ機の斜視図である。
【図４】タグの説明図である。
【図５】タグの制御機構を示すブロック図である。
【図６】アンテナの説明図である。
【図７】店員カードを保持したカードホルダの説明斜視図である。
【図８】パチンコ機の後面を示す説明図である。
【図９】Ｒ／Ｗユニットの制御機構を示すブロック図である。
【図１０】監視用のＲＦＩＤ通信の制御に係るプログラムの一例を示すフローチャート図である。
【図１１】認証用のＲＦＩＤ通信の制御に係るプログラムの一例を示すフローチャート図である。
【図１２】認証用のＲＦＩＤ通信の制御に係るプログラムの一例を示すフローチャート図である。
【図１３】ステーションの一画面を示す説明図である。
【符号の説明】
【００７５】
１・・パチンコ機、２０・・Ｒ／Ｗユニット、３８・・前面枠タグ、３９・・前面枠アンテナ、４１・・カードホルダ、４２・・店員カード、４６・・カードタグ、４７・・カードアンテナ、５１・・ＣＰＵ、５２・・ＲＡＭ、５４・・ＥＥＰＲＯＭ、５８・・ステーション、５９・・管理手段、６１・・記憶手段（第二の記憶手段）。
【図１】
2005245870.tif 000003
【図２】
2005245870.tif 000004
【図３】
2005245870.tif 000005
【図４】
2005245870.tif 000006
【図５】
2005245870.tif 000007
【図６】
2005245870.tif 000008
【図７】
2005245870.tif 000009
【図８】
2005245870.tif 000010
【図９】
2005245870.tif 000011
【図１０】
2005245870.tif 000012
【図１１】
2005245870.tif 000013
【図１２】
2005245870.tif 000014
【図１３】
2005245870.tif 000015